(57)【要約】本発明は、リアルネームを利用した検索システムで、ドメインネーム及び検索語を含む接続文を利用して接続するクライアントに検索サービスを提供し、少なくとも一つ以上の検索サーバ；インターネット上の検索サーバに該当するＩＰアドレス、ＵＲＬ情報、及びリアルネームが互いにマッチングされて保存されているリアルネームデータベース；前記クライアントから入力される接続文に含まれているドメインネームがリアルネームである場合には、前記リアルネームに基づいて前記リアルネームデータベースを検索し、対応する検索サーバのＩＰアドレスを探して前記クライアントに提供するリアルネームサーバ；を含み、前記検索サーバは、接続するクライアントから提供される接続文に含まれている検索語に基づいて情報検索を行う。したがって、インターネット利用者は、リアルネームを利用して検索ページに接続することができるので、特定の検索ページのドメインネームを一々記憶する必要がなく、検索ページへの接続とほぼ同時に情報検索が行われるので、迅速に所望の情報の提供を受けることができる。【選択図】図１
2005503615.tif 000002
【特許請求の範囲】
【請求項１】
クライアントに検索サービスを提供する検索システムにおいて、
少なくとも一つ以上の検索サーバ；
インターネット上の検索サーバに該当するＩＰアドレス、ＵＲＬ情報、及びリアルネームが互いにマッチングされて保存されているリアルネームデータベース；
前記クライアントから入力される接続文（ドメインネーム及び検索語を含む）に含まれているドメインネームがリアルネームである場合には、前記リアルネームに基づいて前記リアルネームデータベースを検索し、対応する検索サーバのＩＰアドレスを探して前記クライアントに提供するリアルネームサーバ；を含み、
前記検索サーバは、接続するクライアントから提供される接続文に含まれている検索語に基づいて情報検索を行う、検索システム。
【請求項２】
クライアントに検索サービスを提供する検索システムにおいて、
少なくとも一つ以上の検索サーバ；
前記検索サーバのＵＲＬ情報及びリアルネームが互いにマッチングされて保存されているリアルネームデータベース；及び
前記クライアントから入力される接続文（ドメインネーム及び検索語を含む）に含まれているドメインネームがリアルネームである場合には、前記リアルネームに基づいて前記リアルネームデータベースを検索し、対応するＵＲＬ情報を探した後で、前記ＵＲＬ情報によって前記クライアントを該当検索サーバに連結させ、前記接続文に含まれている検索語を前記検索サーバに提供する接続仲介サーバ；を含み、
前記クライアントは、接続文の入力動作の発生をチェックし、接続文の入力動作が発生した場合には、前記接続仲介サーバに接続して入力された接続文を提供するフックモジュールを含み、
前記検索サーバは、前記接続仲介サーバから提供される検索語に含まれている検索語に基づいて情報検索を行う、検索システム。
【請求項３】
ドメインネーム及び検索語を含む接続文を利用して接続するクライアントに検索サービスを提供する検索システムにおいて、
少なくとも一つ以上の検索サーバ；
前記検索サーバのＩＰアドレス、ＵＲＬ情報、及びリアルネームがマッチングされて保存されているリアルネームデータベース；
前記リアルネームデータベースに保存されているＵＲＬ情報によって接続するクライアントを該当する検索サーバに連結させ、クライアントから提供される接続文に含まれている検索語を前記検索サーバに提供する接続仲介サーバ；及び
クライアントから入力される接続文のドメインネームがリアルネームである場合には、前記接続仲介サーバのＩＰアドレスを提供して、前記クライアントが前記接続仲介サーバに接続するようにするリアルネームサーバ；を含み、
前記接続仲介サーバは、接続するクライアントの情報から前記接続文を抽出し、前記接続文に含まれているリアルネームに基づいて前記リアルネームデータベースを検索し、対応するＵＲＬ情報を探した後で、前記ＵＲＬ情報によって前記クライアントを該当検索サーバに連結させ、
前記検索サーバは、前記接続仲介サーバから提供される検索語によって情報検索を行う、検索システム。
【請求項４】
前記接続文は、前記検索サーバのリアルネーム、識別記号、及び検索語を含む、請求項１乃至請求項３のいずれか一項に記載の検索システム。
【請求項５】
前記検索サーバ及び前記接続仲介サーバは、前記接続文のうち識別記号の後に位置するデータを検索語であると判断する、請求項４に記載の検索システム。
【発明の詳細な説明】
【技術分野】
【０００１】
本発明は、リアルネームを利用した検索システム及びその方法に関し、より詳細には、インターネット上の検索ページに接続して情報を検索しようとする場合に、英語以外にも韓国語やその他の外国語などからなるリアルネームを利用して該当検索ページに容易に接続して検索することができるようにする検索システム及びその方法に関する。
【背景技術】
【０００２】
一般に、情報収集は、本やTV、新聞などの媒体を通じて行われていたが、最近は、インターネットの急速な普及によって、インターネットという媒体を通じて全世界の人が様々な情報を共有するようになり、このような変化に比例して、インターネットを通じた情報収集が増加している傾向にある。
【０００３】
しかし、インターネット上には多様かつ多数の情報が散在しているため、インターネット利用者が希望する情報を探すのは容易なことでない。このために様々な検索ページが散在している情報を抽出してインターネット利用者に提供している。
検索ページは、接続するインターネット利用者に検索語を入力することができる入力欄を提供し、入力欄を通じて入力される検索語に基づいてインターネット上に散在している情報を検索して、利用者が探している情報だけを抽出して提供する。
【０００４】
しかし、インターネット利用者が情報を探すためには、まず検索ページに該当するドメインネームを入力して検索ページに接続した後、検索ページで提供される検索語入力欄に検索語を記入する必要があり、情報を検索するまでに経なければならない段階が多く、迅速な情報検索が行われていない。
【０００５】
また、検索ページに接続するためには、インターネットに連結された検索ページを提供するコンピュータのインターネット上のアドレスであるドメインネームを入力する必要があるが、このようなドメインネームは、一定の規則によって作られたアルファベットの組み合わせからなるため、韓国や日本、中国など非英語圏の国民は英語圏の国民に比べて相対的にドメインネームの記憶が難しいという短所がある。
【発明の開示】
【発明が解決しようとする課題】
【０００６】
本発明が解決しようとする技術的課題は、自国で実際に呼ばれるリアルネームを利用して検索ページに容易に接続することができる検索システム及びその方法を提供することにある。
また、本発明が解決しようとする他の技術的課題は、より迅速な情報検索を行うための検索システム及びその方法を提供することにある。
【課題を解決するための手段】
【０００７】
このような技術的課題を達成するための本発明の特徴によるリアルネームを利用した検索システムは、ドメインネーム及び検索語を含む接続文を利用して接続するクライアントに検索サービスを提供し、少なくとも一つ以上の検索サーバ；インターネット上の検索サーバに該当するＩＰアドレス、ＵＲＬ情報、及びリアルネームが互いにマッチングされて保存されているリアルネームデータベース；前記クライアントから入力される接続文に含まれているドメインネームがリアルネームである場合には、前記リアルネームに基づいて前記リアルネームデータベースを検索し、対応する検索サーバのＩＰアドレスを探して前記クライアントに提供するリアルネームサーバ；を含み、検索サーバは、接続するクライアントから提供される接続文に含まれている検索語に基づいて情報検索を行う。
【０００８】
本発明の他の特徴によるリアルネームを利用した検索システムは、ドメインネーム及び検索語を含む接続文を利用して接続するクライアントに検索サービスを提供し、少なくとも一つ以上の検索サーバ；前記検索サーバのＵＲＬ情報及びリアルネームが互いにマッチングされて保存されているリアルネームデータベース；及び前記クライアントから入力される接続文に含まれているドメインネームがリアルネームである場合には、前記リアルネームに基づいて前記リアルネームデータベースを検索し、対応するＵＲＬ情報を探した後で、前記ＵＲＬ情報によって前記クライアントを該当検索サーバに連結させ、前記接続文に含まれている検索語を前記検索サーバに提供する接続仲介サーバ；を含む。
【０００９】
ここで、クライアントは、接続文の入力動作の発生をチェックし、接続文の入力動作が発生した場合には、前記接続仲介サーバに接続して入力された接続文を提供するフックモジュールを含み、検索サーバは、前記接続仲介サーバから提供される検索語に含まれている検索語に基づいて情報検索を行う。
【００１０】
本発明の他の特徴によるリアルネームを利用した検索システムは、ドメインネーム及び検索語を含む接続文を利用して接続するクライアントに検索サービスを提供し、少なくとも一つ以上の検索サーバ；前記検索サーバのＩＰアドレス、ＵＲＬ情報、及びリアルネームがマッチングされて保存されているリアルネームデータベース；前記リアルネームデータベースに保存されているＵＲＬ情報によって接続するクライアントを該当する検索サーバに連結させ、クライアントから提供される接続文に含まれている検索語を前記検索サーバに提供する接続仲介サーバ；及びクライアントから入力される接続文のドメインネームがリアルネームである場合には、前記接続仲介サーバのＩＰアドレスを提供して、前記クライアントが前記接続仲介サーバに接続されるようにするリアルネームサーバ；を含む。
【００１１】
ここで、前記接続仲介サーバは、接続するクライアントの情報から前記接続文を抽出し、前記接続文に含まれているリアルネームに基づいて前記リアルネームデータベースを検索し、対応するＵＲＬ情報を探した後で、前記ＵＲＬ情報によって前記クライアントを該当検索サーバに連結させ、前記検索サーバは、前記接続仲介サーバから提供される検索語によって情報検索を行う。
【００１２】
前記接続文は、前記検索サーバのリアルネーム、識別記号、及び検索語を含むことができ、前記検索サーバ及び前記接続仲介サーバは、前記接続文のうち識別記号の後に位置するデータを検索語として判断する。
【発明の効果】
【００１３】
本発明の実施例による検索システムでは、既存のアルファベットからなるドメインネームなどのＵＲＬ情報の外にリアルネームを利用して検索ページに接続することができるので、利用者が特定の検索ページのドメインネームを一々記憶する必要がない。
また、検索ページのドメインネームと共に検索しようとする情報の検索語を入力して、検索ページへの接続とほぼ同時に情報検索を行うことができるので、インターネット利用者が容易かつ迅速に所望の情報の提供を受けることができる。
【発明を実施するための最良の形態】
【００１４】
以下、本発明が属する技術分野における通常の知識を有する者が本発明を容易に実施することができる最も好ましい実施例を、添付した図面を参照して詳細に説明する。
本発明の実施例によるリアルネームを利用した検索システムは、インターネット上に登録されている全ての検索ページのインターネットアドレスに対応して、韓国語や英語以外の外国語、または数字、記号などからなるリアルネームを別途に設定し、リアルネームを利用した検索ページへの接続を可能にする。一方、リアルネームは一つの単語からなる英語であることもできる。
【００１５】
以下、説明の便宜のために既存のドメインネームやファイルネームなどのＵＲＬ情報を“英文ドメインネーム”といい、既存のドメインネームに対してインターネットアドレス確認サービスを提供するサーバを“英文ドメインネームサーバ”といい、特定の検索ページに接続するためにクライアントから入力される文字列を“接続文”という。したがって、接続文は接続しようとする検索ページのドメインネームを含み、ここで、接続文に含まれているドメインネームは、英文ドメインネーム及びリアルネームの両方を含む。そして、本発明の実施例において、“リアルネーム”は、特に会社名、商号、またはサービス標などの実際の名称を示すが、これに限定されない。そして、インターネット上の特定の検索ページのＩＰアドレス及びＵＲＬ情報を含めてインターネットアドレスという。
【００１６】
そして、本発明の実施例によるリアルネームを利用した検索システムは、WWW（world wide web）の他にも、インターネットを通じてサービスされるＥメール、FTP（file transfer protocol）、テレネット（telnet）などにも適用可能である。
【００１７】
図１に本発明の第１実施例によるリアルネームを利用した検索システムの構造が示されている。
図１に示されているように、本発明の第１実施例によるリアルネームを利用した検索システムは、クライアント１０、インターネット２０を通じてクライアント１０と連結されるリアルネームサーバ３０、検索サーバ４０を含み、その他にも、既存のドメインネームサーバ、つまり英文ドメインネームを処理する英文ドメインネームサーバ５０をさらに含む。そして、検索サーバ４０は、少なくとも一つ以上であることができる。
【００１８】
クライアント１０としては、インターネット２０を通じて検索サーバ４０に接続することができる通信装置が利用され、例えば、コンピュータ、移動通信端末機、またはインターネットへの接続が可能なTVなどの通信装置が用いられる。したがって、クライアント１０は、インターネット２０を通じて検索サーバ４０に接続することができ、また無線通信網（図示せず）を通じて検索サーバ４０に接続することもできる。このようなクライアント１０は、接続しようとする検索ページのリアルネーム、識別記号、及び検索語を含む接続文を検索サーバ４０に提供する。
【００１９】
より詳細には、本発明の実施例においては、検索の段階を減らすために、最初の検索サーバに接続する時に検索サーバのインターネットアドレスに対応するリアルネームと共に探そうとする情報を示す検索語を入力し、この時、リアルネームと検索語とを区別しながら検索語を識別するために検索語の前に別途の識別記号を入力する。
【００２０】
例えば、“ヤフー”という検索ページに接続しようとする場合、クライアント１０は、インターネットへの接続が可能なウェブブラウザーのアドレス入力欄に“ヤフー：コンピュータ”という接続文を入力する。ここで、“ヤフー”はリアルネームであり、“コンピュータ”は検索語であり、識別記号は“：”であるが、これに限定されない。
【００２１】
リアルネームサーバ３０は、インターネット２０を通じてクライアント１０から提供される接続文に基づいてクライアント１０に検索サーバ４０のＩＰアドレスを提供し、このためにドメインネーム判別部３１及びリアルネームデータベース３２を含む。
ドメインネーム判別部３１は、接続文に含まれているドメインネームが英文ドメインネームであるかリアルネームであるかを判断し、入力された接続文に識別記号が含まれていなかったり、接続文に含まれているドメインネームが英文ドメインネームである場合には、入力された接続文を英文ドメインネームサーバ５０に提供して処理されるようにする。また、入力された接続文に識別記号が含まれていたり、接続文に含まれているドメインネームがリアルネームである場合には、リアルネームデータベース３２に保存されているデータに基づいてクライアント１０に該当検索サーバ４０のＩＰアドレスを提供する。
【００２２】
ここでは、接続文に識別記号が含まれていない場合には、英文ドメインネームであると判断するが、これに限定されない。
一般に用いられる英文ドメインネームは、“yahoo.co.kr”のように“.”を含むため、本発明の第１実施例において、リアルネームサーバ３０は、入力された接続文のドメインネームに“.”が含まれているか否かによって、入力された接続文が英文ドメインネームであるか、リアルネームであるかを判断する。また、接続文に含まれている識別記号“：”を基準にして、その前に位置するものをドメインネームであると判断し、その後に位置するものを検索語であると判断する。
【００２３】
リアルネームデータベース３２には、インターネット２０上の全ての検索サーバを提供する検索サーバのＩＰアドレスに対応して少なくとも一つ以上のリアルネームが保存されており、その他にもそれぞれのリアルネームに対応してＵＲＬ情報が保存されている。例えば、“２１０.１０３.１７５.６６”というＩＰアドレスに対応して“ヤフー”というリアルネームが保存されており、“ヤフー”に対応して“yahoo.co.kr”というＵＲＬ情報が保存されている。一方、検索サーバ以外の他のサーバのＩＰアドレスに対応するリアルネーム及びＵＲＬ情報が保存されることもできる。
【００２４】
検索サーバ４０は、インターネット２０を通じて接続するクライアント１０から提供される接続文に含まれている検索語に基づいてインターネット２０上の複数のサーバのデータを検索し、検索語に該当する情報を収集してクライアント１０に提供する。
このような構造からなる本発明の第１実施例によるリアルネームを利用した検索システムの動作を詳細に説明する。
【００２５】
ここで、クライアント１０がインターネットに接続するためのブラウザーを駆動する前にインターネット接続環境設定プログラムなどを実行して、ＩＰアドレス確認サービスを提供するサーバとしてリアルネームサーバ３０を設定する。一方、一般に用いられる英文ドメインネームサーバ５０のＩＰアドレスを予めバックアップしておいて、クライアント１０のインターネット接続環境設定プログラムの終了と共に復帰するようにし、クライアント１０の基本的な使用にいかなる変化も生じさせないのが好ましい。
【００２６】
図２に本発明の第１実施例によるリアルネームを利用した検索方法が順に示されている。
図２に示されているように、利用者がクライアント１０でインターネットへの接続のためのウェブブラウザーなどを駆動させた後で、ブラウザー上の入力欄に例えば“ヤフー：コンピュータ”という接続文を入力すれば、入力された接続文は検索サーバ４０のリアルネームサーバ３２に提供される（Ｓ１００）。
【００２７】
リアルネームサーバ３０のドメインネーム判別部３１は、クライアント１０から提供される接続文に識別記号、例えば“：”が含まれているか否かを判断し、接続文に識別記号が含まれている場合には、識別記号に基づいて接続文に含まれているドメインネームを抽出する（Ｓ１２０）。例えば、接続文である“ヤフー：コンピュータ”の識別記号“：”を基準にして、その前に位置するデータ、つまり“ヤフー”をドメインネームであると判断して抽出する。
【００２８】
そして、接続文から抽出されたドメインネームが英文ドメインネームであるか、リアルネームであるかを判断する（Ｓ１３０）。例えば、入力されたドメインネームに“netpia.net”のような識別字“.”が含まれていない場合には、入力されたドメインネームがリアルネームであると判断し、リアルネームに基づいてリアルネームデータベース３３を検索して、対応するＩＰアドレスを探してクライアント１０に提供する（Ｓ１４０）。
【００２９】
つまり、入力されたリアルネームに対応する検索サーバのＩＰアドレスをクライアント１０に提供することにより、クライアント１０は該当ＩＰアドレスを有する検索サーバ４０に接続される。この時、クライアント１０は、検索サーバ４０に接続しながらリアルネームサーバ３０に提供した接続文を検索サーバ４０にも提供する（Ｓ１５０）。
【００３０】
一方、段階Ｓ１１０で、リアルネームサーバ３０のドメインネーム判別部３１は、クライアント１０から提供される接続文に識別記号が含まれていなかったり、段階Ｓ１３０で、接続文に含まれているドメインネームに識別字である“.”が含まれていない場合には、接続文に含まれているドメインネームが英文ドメインネームであると判断し、この英文ドメインネームを英文ドメインサーバ５０に提供する。
【００３１】
これにより、英文ドメインネームサーバ５０は、入力される接続文に対応するＩＰアドレスをクライアント１０に提供し、クライアント１０が該当ＩＰアドレスを有するウェブページに接続されるようにする（Ｓ１６０）。
前記で、クライアント１０がリアルネームサーバ３０から提供される検索サーバ４０のＩＰアドレスによって検索サーバ４０に接続すれば、検索サーバ４０は、クライアント１０から提供される接続文から検索語を抽出する（Ｓ１７０）。
【００３２】
検索サーバ４０は、リアルネームサーバ３０と同様に、接続文に含まれている識別記号を基準にして、識別記号の後に位置するデータを検索語であると判断して抽出し、抽出された検索語に基づいてインターネット２０上の図示されていない複数のサーバから検索語に該当する情報を収集してクライアント１０に提供する（Ｓ１８０〜Ｓ１９０）。この時、検索サーバ４０は、検索語に基づいて収集された情報を検索結果ページの形態でクライアント１０に提供する。
【００３３】
つまり、前述したように、“ヤーフ：コンピュータ”という接続文を入力してリアルネームサーバ３０に接続すれば、リアルネームサーバ３０が“ヤフー”に該当する検索サーバ４０のＩＰアドレスをクライアント１０に提供し、これによりクライアント１０が検索サーバに接続すれば、検索サーバ４０は、クライアント１０から提供される接続文である“ヤーフ：コンピュータ”に含まれている“コンピュータ”に基づいて情報検索を行い、“コンピュータ”に関する情報、つまり検索結果をクライアント１０に提供する。
【００３４】
したがって、インターネット利用者は、検索サイト、即ち検索サーバの英文ドメインネームを入力しなくても、検索サーバが自国で実際に呼ばれているリアルネームを利用して検索サーバに容易に接続することができ、さらに、検索サーバに接続した後で別途の検索語を入力しなくても、所望の情報の提供を受けることができる。
【００３５】
次に、本発明の第２実施例によるリアルネームを利用した情報検索システム及びその方法について説明する。
図３に本発明の第２実施例によるリアルネームを利用した検索システムの構造が示されている。
本発明の第２実施例によるリアルネームを利用した検索システムでは、クライアントのインターネットへの接続動作が発生すれば、クライアントが直ちに接続仲介サービスを提供する接続仲介サーバに連結されるようにする。
【００３６】
このために、図３に示されているように、本発明の第２実施例によるリアルネームを利用した検索システムのクライアント１０には、インターネットへの接続動作が発生したか否かによってクライアント１０を接続仲介サーバ６０に接続させるフックモジュール（hook module）１１が含まれている。
【００３７】
フックモジュール１１は、例えばエクスプローラなどのウェブブラウザー上でキーボードの“エンターキー”が作動したか否かによってクライアント１０のインターネットへの接続動作の発生の有無を判断し、“エンターキー”の入力前にウェブブラウザー上で入力されたデータ、つまり接続文を特定のクエリー式に変換して接続仲介サーバ６０に提供する。
【００３８】
接続仲介サーバ６０は、第１実施例によるリアルネームサーバ３０と同様に、ＩＰアドレスを提供するドメインネームサーバではなく、リアルネームによってクライアント１０を該当するウェブページ連結させる接続仲介サービスを提供するサイトのサーバである。
【００３９】
接続仲介サーバ６０は、接続文処理部６１及びリアルネームデータベース６２を含み、接続文処理部６１は、第１実施例によるリアルネームサーバ３０と同様に、クライアント１０のフックモジュール１１から提供される接続文に含まれているドメインネームがリアルネームであるか、英文ドメインネームであるかを判断し、接続文に含まれているドメインネームがリアルネームである場合には、リアルネームデータベース６２を検索してクライアント１０を該当検索サーバ４０のウェブページに連結させる。この時、接続文処理部６１は、該当ウェブページの検索サーバ４０にクライアント１０のフックモジュール１１から提供された接続文に含まれている検索語を提供して、情報検索動作が行われるようにする。
【００４０】
この他にも接続仲介サーバ６０は、接続文に含まれているリアルネームがリアルネームデータベース６２に保存されていない場合には、リアルネームに該当する情報を提供するウェブページを検索してクライアント１０に提供する検索エンジン６３をさらに含むことができる。第２実施例によるリアルネームデータベース６２には、複数の検索サーバのＵＲＬ情報に各々対応してリアルネームが保存されている。
【００４１】
このような構造からなる本発明の第２実施例によるリアルネームを利用した検索システムの動作が図４に示されている。
図４に示されているように、クライアント１０のフックモジュール１１は、クライアント１０上で発生するデータの入力やプログラムの駆動によって生成されるメッセージを収集し（Ｓ３００）、収集したメッセージが“エンターキー”作動メッセージで、この“エンターキー”がインターネット接続プログラム、例えばウェブブラウザー上で入力された場合には、“エンターキー”の発生前に入力された文字列を接続文であると判断し、この接続文を特定のクエリー式に変換処理した後で、クライアント１０を接続仲介サーバ６０に連結させる（Ｓ３１０〜Ｓ３３０）。
【００４２】
例えば、ウェブブラウザー上で“ヤフー：コンピュータ”という文字列が入力された後でエンターキーが作動すれば、フックモジュールは、接続仲介サーバ６０のＵＲＬ情報と共に入力された接続文、つまり“ヤフー：コンピュータ”からなる特定のクエリー式を次のように形成する。
【数１】
2005503615.tif 000003
これにより、クライアント１０は、“ヤフー：コンピュータ”というキーワードで接続仲介サーバ６０に接続される。したがって、クライアント１０は、別途のＩＰアドレス確認サービスを提供するサーバを経由せずに接続仲介サーバ６０に直ちに接続される。
【００４３】
一方、エンターキーが作動しなかったり、エンターキーがインターネット接続プログラム上では作動しない場合には、フックモジュール１１は継続してメッセージの収集を行う。
クライアント１０から特定のクエリー式が入力されれば、接続仲介サーバ６０の接続文処理部６１は、特定のクエリー式に含まれているキーワードである接続文に識別記号“：”が含まれているか否かを判断し（Ｓ３４０）、識別記号が含まれている場合には、クライアント１０が検索サーバに接続しようとするものと判断して、第１実施例と同様に、識別記号に基づいて接続文に含まれているドメインネームを抽出し（Ｓ３５０）、抽出されたドメインネームが英文ドメインネームであるか、リアルネームであるかを判断した後（Ｓ３６０）、リアルネームである場合には、リアルネームデータベース６２を検索して対応する検索サーバのＵＲＬ情報を探す（Ｓ３７０）。
【００４４】
一方、段階３４０で、接続仲介サーバ６０の接続文処理部６１は、クライアント１０から提供された接続文に識別記号が含まれていなかったり、段階Ｓ３６０で、接続文に含まれているドメインネームが英文ドメインネームであると判断される場合には、クライアント１０から提供された特定のクエリー式に含まれているＵＲＬ情報によってクライアント１０を該当ウェブページに連結させる（Ｓ３８０）。
【００４５】
接続文に含まれているリアルネームがリアルネームデータベース６２に保存されている場合には、リアルネームに対応するＵＲＬ情報によって該当検索サーバ４０のウェブページにクライアント１０を連結させる（Ｓ３９０〜Ｓ４００）。この時、接続文処理部６１は、クライアント１０を該当検索サーバ４０のウェブページに連結させると同時に、検索サーバ４０にクライアント１０から提供された接続文に含まれている検索語を提供する（Ｓ４１０）。
【００４６】
これにより、検索サーバ４０は、接続仲介サーバ６０から提供される検索語に基づいてインターネット２０上の図示されていない複数のサーバから検索語に対応する情報を収集してクライアント１０に提供する（Ｓ４２０〜Ｓ４３０）。
一方、段階Ｓ３９０で、接続文に含まれているリアルネームがリアルネームデータベース６２に保存されていない場合には、接続文処理部６１は、検索エンジン６３を駆動させてインターネット上で該当リアルネームを含む情報を提供するウェブページの情報を収集した後で、検索結果ページにクライアント１０を連結させる（Ｓ４４０〜Ｓ４５０）。したがって、クライアント１０は、検索結果ページで提供されるウェブページの情報によって特定の情報を選択して所望のウェブページに接続することができる（Ｓ４６０）。
【００４７】
このように、本発明の第２実施例によるリアルネームを利用した検索システムでは、クライアントのインターネットへの接続動作、つまり接続文の入力動作が発生すれば、クライアントが直ちに接続仲介サーバに連結され、接続仲介サーバがリアルネームを利用した検索サーバへの接続が行われるようにし、さらに検索語を検索サーバに提供して、直ちに情報検索が行われるようにすることによって、該当検索サーバへの接続及び検索動作がより迅速に行われる。
【００４８】
次に、本発明の第３実施例によるリアルネームを利用した検索システムについて説明する。
図５に本発明の第３実施例によるリアルネームを利用した検索システムの構造が示されている。
図５に示されているように、本発明の第３実施例によるリアルネームを利用した検索システムは、クライアント１０、リアルネームサーバ３０、接続仲介サーバ６０、検索サーバ４０、及び英文ドメインサーバ５０を含み、第１実施例とは異なって、入力された接続文がリアルネームである場合には、リアルネームサーバ３０がこれを処理せずに接続仲介サーバ６０が処理するようにする。
【００４９】
そして、接続仲介サーバ６０は、第２実施例とは異なって、接続するクライアント１０の情報からリアルネームサーバ３０にＩＰアドレス確認を要請する接続文を抽出する接続文抽出部６４と、抽出された接続文に基づいてリアルネームデータベース６２を検索し、該当するインターネットアドレスであるＵＲＬ情報を探すリアルネーム処理部６５とを含む。その他にも、検索システムは、検索エンジン６３をさらに含むことができる。
【００５０】
図６に本発明の第３実施例によるリアルネームを利用した検索システムの動作が順に示されている。
図６に示されているように、クライアント１０から接続文が入力されれば、リアルネームサーバ３０は、入力された接続文に含まれているドメインネームが英文ドメインネームであるか、リアルネームであるかを判断する（Ｓ５００）。ここでは、接続文に含まれているドメインネームを示す８ビットの最上位ビットが“０”であるか、“１”であるかによって、接続文に含まれているドメインネームが英文ドメインネームであるか、リアルネームであるかを判断することもでき、第１実施例と同様に、識別字である“.”が含まれているか否かによって判断することもできる。
【００５１】
入力された接続文に含まれているドメインネームが英文ドメインネームである場合には、リアルネームサーバ３０は、入力された接続文を英文ドメインネームサーバ５０に提供して処理されるようにし（Ｓ５２０）、接続文に含まれているドメインネームがリアルネームである場合には、接続仲介サーバ６０のＩＰアドレスをクライアント１０に提供してクライアント１０が接続仲介サーバ６０に接続するようにする（Ｓ５３０）。
【００５２】
クライアント１０は、リアルネームサーバ３０から提供されるＩＰアドレスによって接続仲介サーバ６０に接続し、この時、クライアント１０は、ＩＰアドレス確認を要請した接続文と自身のＩＰアドレスを含む情報で接続仲介サーバ６０に接続する（Ｓ５４０）。
【００５３】
接続仲介サーバ６０の接続文抽出部６４は、接続するクライアント１０の情報からＩＰアドレス確認を要請した接続文の情報を抽出し（Ｓ５５０）、リアルネーム処理部６５は、第２実施例と同様に、接続文からドメインネームを抽出し、このドメインネームに基づいてリアルネームデータベース６２を検索する（Ｓ５６０〜Ｓ５７０）。
【００５４】
リアルネーム処理部６５は、抽出された接続文に含まれているドメインネームがリアルネームデータベース６２に保存されていない場合には、第２実施例と同様に、検索エンジン６３を駆動させ、インターネット２０に連結されている複数のサーバから該当ドメインネームを含む情報を提供するウェブページの情報を収集してクライアント１０に提供する（Ｓ５８０〜Ｓ６００）。
【００５５】
一方、リアルネーム処理部６５は、抽出した接続文に含まれているドメインネームがリアルネームデータベース６２に保存されている場合には、リアルネームに対応するＵＲＬ情報によって該当検索サーバ４０のウェブページにクライアント１０を連結させ、これと同時に、接続文に含まれている検索語を検索サーバ４０に提供する（Ｓ６１０〜Ｓ６２０）。
【００５６】
これにより、検索サーバ４０は、接続仲介サーバ６０から提供される検索語に基づいてインターネット２０上の図示されていない複数のサーバから検索語に該当する情報を収集してクライアント１０に提供する（Ｓ６３０〜Ｓ６４０）。
この他にも、クライアント１０がリアルネームサーバ３３を通じて特定のウェブページ（検索サーバのウェブページなど）に接続しようとしたか否かによって、接続仲介サーバ６０がクライアント１０を該当ウェブページに連結させることも可能である。
【００５７】
このような場合には、クライアント１０の接続情報が保存されている接続情報データベースをさらに含むことができ、この時、接続仲介サーバ６０は、接続情報データベースにクライアント１０の接続情報が保存されていているか否かによって、クライアント１０を該当検索サーバ４０のウェブページに連結させる。この時に、検索語を該当検索サーバ４０に提供して情報検索が行われるようにする。
【００５８】
一方、前述した実施例では、接続仲介サーバが接続文に含まれている検索語を検索サーバに提供したが、これに限定されず、クライアントから提供された接続文全体を検索サーバに提供することもでき、この場合、検索サーバは接続文に含まれている識別記号を利用して検索語を抽出する。
【００５９】
また、リアルネームサーバが接続文に含まれているリアルネームを英文データフォーマットでインコーディングし、既存の英文ドメインネームの処理に用いられるBINDプログラムを利用してＩＰアドレス確認サービスを行うようにすることもできる。
また、階層リアルネームを利用する場合にも、前述したのと同様に、検索動作が行われるようにすることができる。本発明は、請求の範囲を逸脱しない範囲内で様々な変更及び実施が可能である。
【図面の簡単な説明】
【００６０】
【図１】本発明の第１実施例によるリアルネームを利用した検索システムの構造を示すブロック図である。
【図２】本発明の第１実施例によるリアルネームを利用した検索システムの動作を順に示すフローチャートである。
【図３】本発明の第２実施例によるリアルネームを利用した検索システムの構造を示すブロック図である。
【図４】本発明の第２実施例によるリアルネームを利用した検索システムの動作を順に示すフローチャートである。
【図５】本発明の第３実施例によるリアルネームを利用した検索システムの構造を示すブロック図である。
【図６】本発明の第３実施例によるリアルネームを利用した検索システムの動作を順に示すフローチャートである。
【図１】
2005503615.tif 000004
【図２】
2005503615.tif 000005
【図３】
2005503615.tif 000006
【図４】
2005503615.tif 000007
【図５】
2005503615.tif 000008
【図６】
2005503615.tif 000009
【国際公開パンフレット】
2005503615.tif 000010
2005503615.tif 000011
2005503615.tif 000012
2005503615.tif 000013
2005503615.tif 000014
2005503615.tif 000015
2005503615.tif 000016
2005503615.tif 000017
2005503615.tif 000018
2005503615.tif 000019
2005503615.tif 000020
2005503615.tif 000021
2005503615.tif 000022
2005503615.tif 000023
2005503615.tif 000024
2005503615.tif 000025
2005503615.tif 000026
2005503615.tif 000027
2005503615.tif 000028
2005503615.tif 000029
2005503615.tif 000030
2005503615.tif 000031
2005503615.tif 000032
2005503615.tif 000033
2005503615.tif 000034
2005503615.tif 000035
2005503615.tif 000036
2005503615.tif 000037
2005503615.tif 000038
2005503615.tif 000039
2005503615.tif 000040
【国際調査報告】
2005503615.tif 000041